(57)【要約】      （修正有）【課題】進歩性及び新たな機能性を有する植木鉢を提供する。【解決手段】吸水材料３は、植え槽１と集水皿２との間にまたがって設置される。集水皿２内の水は、吸水材料３の毛細管現象により、植え槽１内に送られ、植え槽１内の土壌を一定の湿度に維持する。植え槽１と集水皿２とは、上方が植え槽１、下方が集水皿２となるように、一体成形されており、逆Ｌ字型を形成している。植え槽１には、水平面植え領域１０及び傾斜面植え領域１１の大きな植え領域が設けられている。集水皿２内には仕切り板を利用して排水口道が設けられている。【選択図】図１
0003162718.tif 000002
【実用新案登録請求の範囲】
【請求項１】
植え槽と、
仕切り板を利用した排水口道を有する集水皿と、
前記植え槽と前記集水皿との間にまたがって設けられる吸水材料と、
を備え、
前記植え槽は、水平面植え領域及び傾斜面植え領域により形成され、
前記植え槽及び前記集水皿は、上方が前記植え槽、下方が前記集水皿となるように、逆Ｌ字型に一体成形され、
前記吸水材料は、前記集水皿内の水を毛細管現象により前記植え槽内に送り、前記植え槽内の土壌を一定の湿度に維持することを特徴とする植え鉢。
【請求項２】
前記植え槽は、排水口が底面に開けられ、排水機能を強化するとともに前記底面の構成を強化する複数個の条状突起が形成され、
前記水平面植え領域は、水やりのための給水管を設置する欠け口が形成され、側辺にフック部分が形成され、
前記集水皿は、細長い形態で、内側に排水口道が形成され、左右両側にそれぞれ径が異なる水流通管が形成され、
前記排水口道の上端口である引流口は、上方から下方に流れ落ちる水を前記集水皿内に流入させる留め板が形成され、
前記水流通管を連結させることにより複数を左右方向に連結可能であり、
上下左右の四方向に連結させて大きなフラワーウォールを形成可能であり、
前記集水皿内の水量が前記引流口の高さを超えたとき、前記引流口から前記排水口道内に水が排出され、上方の前記集水皿内から溢れ出た水が自然に下方に流入し、連結された前記水流通管の端をカバーにより封鎖することで、連結された前記集水皿のいずれもが相通じることを特徴とする請求項１に記載の植え鉢。
【考案の詳細な説明】
【技術分野】
【０００１】
本考案は、植え鉢に関する。
【背景技術】
【０００２】
実用新案登録出願第２００８−７６７５号「植え鉢」は、図５に示したように、植え鉢本体５、土壌保護棚６及び補助棚７を備える。このうち、植え鉢本体５は、やや台形をしており、上から下に植え槽５０、集水皿５１及び引流板５２が設置されている。植え槽５０にはフィルター板５３が設置されて、花を植えるための植え槽５０と水分を集めるための集水皿５１を上下に分離する。植え槽５０の内部に余分な水分があると、その重力によって下の集水皿５１に流れ込んで貯存する。
【０００３】
集水皿５１が満水になると、引流板５２の欠け口５２０を介して下に位置する他の植え鉢本体の植え槽内に引流される。このように、上から下が一つにつながり、給水作業の際に給水管８を利用して上から水をかければ、下を含む全部の植え鉢の給水作業が完了する。また、植え槽５０と集水皿５１の間に吸水材料５７または給水性に優れた材質のものを設置することで、その毛細管原理を利用して集水皿５１内から吸水し、自動的に上方の植え槽５０内に導入することで、いずれの植え鉢本体５にも自動的に給水されることが可能である。
【０００４】
上述の引流板５２は、植え鉢本体５の斜め中央あたりに三角形状に上方の欠け口５２０が形成されている。植え鉢本体５の上方の左右両側の面に、それぞれ簡単に曲がる凹槽５４が設置されることにより、給水管８が設置される。底面には二つの凹槽５５が設けられて、土壌保護棚６が設置される。裏側にはフック部分５６が設置されて、前記フック部分５６によって垂直壁または傾斜壁の壁面網４の網９に掛けることで、植え鉢本体５を簡単に網に掛けることができ、垂直壁または傾斜壁を緑化及び美化することができる。同時に、植え鉢本体５の正面にカラーの絵を施すことで、垂直壁または傾斜壁を美化することもできる。
【０００５】
土壌保護棚６は、二つのＬ型レバーが並んで連結したものであり、水平の二つのレバーを利用して、植え鉢本体５の底の二つの欠け口５５に嵌まり込む。垂直のレバーの上方にはそれぞれフック部分６１が設置され、前記フック部分６１を網に掛けることによって、土壌保護棚６は下にある植え鉢を押さて植え鉢の中の土壌が大量に流出することを防ぐと同時に、上方に掛けてある植え鉢を支えて安定性を強化する。これは図６に示したとおりである。
【０００６】
図７は実用新案登録出願第２００８−７６７５号「植え鉢」の植え鉢本体と補助棚を組み合わせた際の構成を示した断面図である。図からわかるように、実用新案登録出願第２００８−７６７５号「植え鉢」の植え鉢本体は、上述のように網に掛けて使用する外、補助棚７を組み合わせて、平面に設置して使用することもできる。補助棚７は、ほぼ三角形で、植え鉢本体５のフック部分５６に対応する構成を有しており、その上端に逆向きの９字型のジョイント部分７０が設置される。他角の位置には上に向かって開口する掛かり槽７１が設置される。
【０００７】
その逆向きの９字型のジョイント部分７０が植え鉢本体５のフック部分５６内にはまり込むこと、さらに、上に向かって開口する掛かり槽７１が引流板５２によって形成される欠け口５２０内に引っ掛かり、植え鉢本体５とフィルター板５３にあらかじめ設置された５３０が互いに引っ掛かって固定されることにより、前記補助棚７と植え鉢本体５及びフィルター板５３の三者が完全に一体化して、植え鉢本体５が三本足を有する植え鉢を形成する。これにより、簡単に安定させることができ、垂直壁や傾斜壁の壁面に掛けて使用することで環境の美化を図る外、平面に設置して一般の植え鉢として使用することもできる。
【０００８】
上述の実用新案は、本考案の出願人と同一であり、業界で高い評価を得ている。現在すでに生産段階に入っており、同業からも評価されているものの、さらなる進歩と革新を求めて、従来の植え鉢の構成に進歩性及び新たな機能性を追及するものである。
【考案の概要】
【考案が解決しようとする課題】
【０００９】
本考案の主な目的は、進歩性及び新たな機能性を有する植え鉢を提供することである。
【課題を解決するための手段】
【００１０】
上記目的を達成するために、本考案の植え鉢は、植え槽、集水皿及び吸水材料から構成される。このうち、植え槽と集水皿は逆Ｌ字型に一体成形されて、上方が植え槽に、下方が集水皿となる。植え槽上設には水平及び傾斜された両面の大きな植え領域を有する。集水皿内に仕切り板によって一本の排水口道が設けられることで、植え槽と集水皿が一体成形によって大量生産できるため、効果的にその製造コストを抑えることが可能である。同時に、その植え槽に水平及び傾斜した二方向面の植え領域を有する。
【００１１】
また、上記目的を達成するために、本考案の植え鉢は、植え槽、集水皿及び吸水材料吸水材料から構成される。このうち、植え槽と集水皿は一体成形で逆Ｌ字型を形成する。植え槽上方は、水平及び傾斜した二面の大きな植え領域を有し、底面には排水口が開けられ、複数個の条状突起が設置される。さらに、下方の集水皿内には排水口道が設けられる。前記排水口道上端口は引流口で、余分な水を下に向かって排出しやすくして、下方の植え鉢内に導く。
【００１２】
また、集水皿の左右両辺にはそれぞれ水流通管が設置されて、左の水流通管が右の水流通管に接続されることで、本考案の植え鉢は左右の方向に無限に連結させることが可能である。同時に、全ての植え鉢の集水皿を連通させることが可能で、吸水材料は集水皿と植え槽の間に設置されて、吸水材料の毛細管現象を利用して、集水皿内の水が自動的に植え槽内に送られることで、本考案の植え鉢を上下左右の四方向に無限に連結させて、一体化した大きなフラワーウォールを形成することが可能である。
【００１３】
また同時に、上から下へ、さらに、左右の植え鉢の個々の集水皿をいずれも連結して一体化させて、相互にサポートし合うことで、最上部の植え鉢に水やりのためのシステムを設けることにより、全面的な水やりの機能が完成して、全面的な自動給水の目的を果たす。
（考案の効果）
【００１４】
本考案は、植え鉢に関し、特に、実用新案登録出願第２００８−７６７５号「植え鉢」の構成をさらに改良した植え鉢に関する。
本考案の植え鉢は、植え槽と集水皿が一体成形によって大量生産できるため、効果的にその製造コストを抑えることが可能である。
【００１５】
また、本考案の植え鉢は、全ての植え鉢の集水皿を連通させることが可能で、吸水材料は集水皿と植え槽の間に設置されて、吸水材料の毛細管現象を利用して、集水皿内の水が自動的に植え槽内に送られることで、本考案の植え鉢を上下左右の四方向に無限に連結させて、一体化した大きなフラワーウォールを形成することが可能である。また同時に、上から下へ、さらに、左右の植え鉢の個々の集水皿をいずれも連結して一体化させて、相互にサポートし合うことで、最上部の植え鉢に水やりのためのシステムを設けることにより、全面的な水やりの機能が完成して、全面的な自動給水の目的を果たす
【００１６】
このように、本考案は、構成が簡単で、植え槽と集水皿が一体成形され、効果的に製造コストを抑え、植える面積または方向を拡大した植え鉢を提供することができる。
また、本考案は、構成が簡単で、植え槽と集水皿が一体成形され、上下左右の四方向に連結可能な植え鉢を提供することができる。
【図面の簡単な説明】
【００１７】
【図１】本考案の外観を示す斜視図。
【図２】本考案の断面図。
【図３】本考案を上下及び左右に連結させて大面積の花の壁を形成した状態を示す模式図。
【図４】図３のＡ−Ａの断面図。
【図５】実用新案登録出願第２００８−７６７５号「植え鉢」の分解斜視図。
【図６】実用新案登録出願第２００８−７６７５号「植え鉢」の植え鉢本体と土壌保護棚を組み合わせて応用した実施例の断面図。
【図７】実用新案登録出願第２００８−７６７５号「植え鉢」の植え鉢本体と補助棚を組み合わせて応用した実施例の断面図。
【考案を実施するための形態】
【００１８】
以下、本考案の植え鉢を図面に基づいて説明する。
（一実施形態）
図１及び図２は本形態の外観図及び断面図である。本形態の植え鉢は、植え槽１、集水皿２及び吸水材料３から構成される。このうち、植え槽１と集水皿２は、一体成形で逆Ｌ字型を形成する。上方が植え槽１、下方が集水皿２で、吸水材料３は、植え槽１と集水皿２の間にまたがって設置される。吸水材料３の毛細管現象により、集水皿２内の水が自動的に植え槽１内に送られて、植え槽１内の土壌を一定の湿度に維持する。
【００１９】
植え槽１には、水平面植え領域１０と傾斜面植え領域１１の両面の植え領域が設置される。さらに、底面には若干の排水口１２が開けられ、複数個の条状突起１３が設置される。このうち、水平面植え領域１０には、水やりのための給水管を設置する欠け口１４が設けられる。側辺には、掛けるためのフック部分１５が設置される。また、複数の条状突起１３が設置されることで、植え鉢底面の構成を強化すると同時に、植え槽１内の排水機能も強化する。
【００２０】
細長い形の集水皿２は、その内側に排水口道２０が設置される。排水口道２０の上端口は引流口２００で、この引流口２００には留め板２０１が設置される。留め板２０１が阻止することで、上方から下方に流れ落ちる水が先に集水皿２内に流入する。集水皿２内の水は、水量が引流口２００の高さを超えると、自然と引流口２００から流れ出し、排水口道２０内に排出される。集水皿２の左右両側には、左右の水流通管２１、２２が設置される。
【００２１】
左右の水流通管２１、２２の径の大きさは異なる。原則的には左右が接続されることを目的とする。これにより、本形態の植え鉢が、左右の方向に制限なく連結されて一体となる。本形態では、その末端の左右両側の水流通管がカバー２１０、２２０によって封鎖されるため、左右の全ての植え鉢の集水皿２が全て相通じて互いにサポートし合うことができる。このため、上述の植え槽１と集水皿２の構成がシンプルになる。
これにより、植え槽１と集水皿２が一体成形されて、効果的に植え鉢の製造コストが抑えられる。同時に、その植え槽の植え領域面を拡大させることが可能である。
【００２２】
図３及び図４は、本形態を上下及び左右に連結させて大面積のフラワーウォールを形成した状態を示す図、及び、Ａ−Ａの断面図である。本形態は、フック部分１５を利用することにより、網９に引っ掛けられる。また、本形態は、植え槽１及び集水皿２が一体化した逆Ｌ字型を呈するため、上方の植え鉢の集水皿２が下方の植え鉢の植え槽１内に挿入されて連結可能である。
【００２３】
本形態では、上下の植え鉢の連結により、上の植え鉢の集水皿内から溢れ出した水が自然に下方の植え鉢内に流れ落ちる。故に、その最上面の植え鉢に給水管８を設置して水やりを行うだけで、スムーズに下方に位置する全ての鉢植えに水やり作業が行える。このため、水資源を無駄にすることなく、自動的に水やりの目的を果たす。同時に、事後の繁雑な鉢植えの手入れも不要となる。
【００２４】
また、本形態では、集水皿２の左右両側に水流通管２１、２２が設置されているため、前記左右の水流通管２１、２２が相互に連接することで、複数の植え鉢を左右に連結して一体化させることができる。
これにより、全ての集水皿がいずれも水流通管を介して相互に相通じてサポートし合うことで、大きな面積のフラワーウォールにおいても、その縦向きと横向きの水流もまた全て互いに相通じ合って利用できるため、フラワーウォール完成後に鉢植えを手入れする手間を大幅に軽減することが可能である。
【００２５】
このように、本考案の植え鉢は、その植え槽と集水皿の構成を簡単にすることで、植え槽と集水皿を一体化した逆Ｌ字型に成形して、大量生産による製造コストの抑制が可能である。同時に、その植え槽には、水平及び傾斜の両方向面の植え領域を有し、植え槽と集水皿が一体化した逆Ｌ字型であること、集水皿の左右両側の水流通管を利用することで、植え鉢を上下左右の四方向に連結させて大きなフラワーウォールを形成することが可能である。
【００２６】
さらに、上方の集水皿内から溢れ出した水が自然に下方の植え鉢内に流れ込んで、左右の全ての集水皿が全て相通じて互いにサポートし合うことにより、水資源を無駄にすることがなく、自動的に水やりを行うという目的を達成する。同時に、事後の繁雑な手入れも簡素化される。故に、本考案による効果は所定の目的と完全に符合し、さらに、全体的な技術手段の進歩性、革新性及び実用性を有する。
【符号の説明】
【００２７】
１                    ・・・  植え槽
２                    ・・・  集水皿
３                    ・・・  吸水材料
１０                  ・・・  水平面植え領域
１１                  ・・・  傾斜面植え領域
１２                  ・・・  排水口
１３                  ・・・  条状突起
１４                  ・・・  欠け口
１５                  ・・・  フック部分
２０                  ・・・  排水口道
２３                  ・・・  仕切り板
２００                ・・・  引流口
２０１                ・・・  留め板
２１、２２            ・・・  左右の水流通管
２１０、２２０        ・・・  カバー
４                    ・・・  壁面
５                    ・・・  植え鉢本体
６                    ・・・  土壌保護棚
７                    ・・・  補助棚
５０                  ・・・  植え槽
５１                  ・・・  集水皿
５２                  ・・・  引流板
５３                  ・・・  フィルター板
５２０、５３０、５５  ・・・  欠け口
５４                  ・・・  凹槽
５６、６１            ・・・  フック部分
８                    ・・・  給水管
９                    ・・・  網
６０                  ・・・  レバー
７０                  ・・・  ジョイント部分
７１                  ・・・  掛かり槽
【図１】
0003162718.tif 000003
【図２】
0003162718.tif 000004
【図３】
0003162718.tif 000005
【図４】
0003162718.tif 000006
【図５】
0003162718.tif 000007
【図６】
0003162718.tif 000008
【図７】
0003162718.tif 000009
【手続補正書】
【提出日】平成22年7月8日(2010.7.8)
【手続補正１】
【補正対象書類名】実用新案登録請求の範囲
【補正対象項目名】全文
【補正方法】変更
【補正の内容】
【実用新案登録請求の範囲】
【請求項１】
植え槽と、
集水皿と、
前記植え槽と前記集水皿との間にまたがって設けられる吸水材料と、
を備え、
前記植え槽は、水平面植え領域及び傾斜面植え領域により形成され、
前記植え槽及び前記集水皿は、上方が前記植え槽、下方が前記集水皿となるように、逆Ｌ字型に一体成形され、
前記集水皿は、内部に形成された仕切り板により、内部を排水口道とそれ以外の部分に仕切られ、
前記吸水材料は、前記集水皿内の水を毛細管現象により前記植え槽内に送り、前記植え槽内の土壌を一定の湿度に維持することを特徴とする植え鉢。
【請求項２】
前記植え槽は、排水口が底面に開けられ、排水機能を強化するとともに前記底面の構成を強化する複数個の条状突起が形成され、
前記水平面植え領域は、水やりのための給水管を設置する欠け口が形成され、側辺にフック部分が形成され、
前記集水皿は、細長い形態で、左右両側にそれぞれ径が異なる水流通管が形成され、
前記排水口道の上端口である引流口は、上方から下方に流れ落ちる水を前記集水皿内に流入させる留め板が形成され、
前記水流通管を連結させることにより複数を左右方向に連結可能であり、
上下左右の四方向に連結させて大きなフラワーウォールを形成可能であり、
前記集水皿内の水量が前記引流口の高さを超えたとき、前記引流口から前記排水口道内に水が排出され、上方の前記集水皿内から溢れ出た水が自然に下方に流入し、連結された前記水流通管の端をカバーにより封鎖することで、連結された前記集水皿のいずれもが相通じることを特徴とする請求項１に記載の植え鉢。